【手続補正書】
【提出日】平成22年4月6日(2010.4.6)
【手続補正１】
【補正対象書類名】明細書
【補正対象項目名】全文
【補正方法】変更
【補正の内容】
【書類名】          明細書
【発明の名称】      日本語や中国語などの漢字を含む言語による語句もしくは文章の入力のためのシステム
【特許請求の範囲】
【請求項１】
ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、前記ユーザーの識別データと対応付けて、記録しておくための辞書データ記録手段と、
ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と前記ユーザーの識別データとに基づいて、「前記のサーバー側に備えられた辞書データ記録手段に記録されている辞書データであって、前記ユーザーの識別データに対応する辞書データ」から、「前記の入力もしくは送信された『読み』」に対応する語句もしくは文章又はその１つ若しくは複数の候補を、選択もしくは決定する又は前記ユーザーに提示する、ための語句提示等手段と、
を備えたことを特徴とする、日本語や中国語などの漢字を含む言語による語句もしくは文章の入力のためのシステム。
【請求項２】
ユーザー端末側とネットワークを介して接続されたサーバー側に備えられた（「備えられた」は接続された状態をも含む）辞書データ記録手段であって、「複数のユーザーの端末側からそれぞれ入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、複数のユーザーが共用できるように、記録しておくための辞書データ記録手段と、
ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と前記或るユーザーに関する属性データとに基づいて、「前記のサーバー側に備えられた辞書データ記録手段に記録されている辞書データであって、前記属性データに対応する辞書データ」から、「前記の入力もしくは送信された『読み』」に対応する語句もしくは文章又はその１つ若しくは複数の候補を、選択もしくは決定する又は前記ユーザーに提示する、ための語句提示等手段と、
を備えたことを特徴とする、日本語や中国語などの漢字を含む言語による語句もしくは文章の入力のためのシステム。
【請求項３】
ユーザー端末側とネットワークを介して接続されたサーバー側に備えられた（「備えられた」は接続された状態をも含む）辞書データ記録手段であって、「複数のユーザーの端末側からそれぞれ入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、複数のユーザーが共用できるように、記録しておくための辞書データ記録手段と、
ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と前記或るユーザー若しくはその入力内容に関する『分野、分類、もしくはカテゴリ』とに基づいて、「前記のサーバー側に備えられた辞書データ記録手段に記録されている辞書データであって、前記『分野、分類、もしくはカテゴリ』と関連する辞書データ」から、「前記の入力もしくは送信された『読み』」に対応する語句もしくは文章又はその１つ若しくは複数の候補を、選択もしくは決定する又は前記ユーザーに提示する、ための語句提示等手段と、
を備えたことを特徴とする、日本語や中国語などの漢字を含む言語による語句もしくは文章の入力のためのシステム。
【請求項４】
ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、
ユーザー端末側とネットワークを介して接続されたサーバー側に備えられた（「備えられた」は接続された状態をも含む）使用頻度データ記録手段であって、「或るユーザーの端末側から入力もしくは送信された語句もしくは文章又はその読みについて、それを前記ユーザーがどれだけ頻繁に繰り返し使用もしくは入力したかを示す使用頻度データ」を、前記ユーザーの識別データと対応付けて、記録しておくための使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と、前記ユーザーの識別データと、「前記のサーバー側に備えられた使用頻度データ記録手段に記録されている使用頻度データであって、前記ユーザーの識別データに対応する使用頻度データ」と、に基づいて、前記のサーバー側に備えられた辞書データ記録手段から、「前記の入力もしくは送信された『読み』」に対応する語句もしくは文章又はその１つ若しくは複数の候補を、選択もしくは決定する又は前記ユーザーに提示する、ための語句提示等手段と、
を備えたことを特徴とする、日本語や中国語などの漢字を含む言語による語句もしくは文章の入力のためのシステム。
【請求項５】
ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、
ユーザー端末側とネットワークを介して接続されたサーバー側に備えられた（「備えられた」は接続された状態をも含む）使用頻度データ記録手段であって、「複数のユーザーの端末側からそれぞれ入力もしくは送信された語句もしくは文章又はその読みについて、それを各ユーザーがどれだけ頻繁に繰り返し使用もしくは入力したかを示す使用頻度データ」を、前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、複数のユーザーが共用できるように、記録しておくための使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と、前記或るユーザーに関する属性データと、「前記のサーバー側に備えられた辞書データ記録手段に記録されている使用頻度データであって、前記属性データに対応する使用頻度データ」と、に基づいて、前記のサーバー側に備えられた辞書データ記録手段から、「前記の入力もしくは送信された『読み』」に対応する語句もしくは文章又はその１つ若しくは複数の候補を、選択もしくは決定する又は前記ユーザーに提示する、ための語句提示等手段と、
を備えたことを特徴とする、日本語や中国語などの漢字を含む言語による語句もしくは文章の入力のためのシステム。
【請求項６】
ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、
ユーザー端末側とネットワークを介して接続されたサーバー側に備えられた（「備えられた」は接続された状態をも含む）使用頻度データ記録手段であって、「複数のユーザーの端末側からそれぞれ入力もしくは送信された語句もしくは文章又はその読みについて、それを各ユーザーがどれだけ頻繁に繰り返し使用もしくは入力したかを示す使用頻度データ」を、前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、複数のユーザーが共用できるように、記録しておくための使用頻度データ記録手段と、
ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と、前記或るユーザー若しくはその入力内容に関する『分野、分類、もしくはカテゴリ』と、「前記のサーバー側に備えられた辞書データ記録手段に記録されている使用頻度データであって、前記『分野、分類、もしくはカテゴリ』と対応付けられた使用頻度データ」と、に基づいて、前記のサーバー側に備えられた辞書データ記録手段から、「前記の入力もしくは送信された『読み』」に対応する語句もしくは文章又はその１つ若しくは複数の候補を、選択もしくは決定する又は前記ユーザーに提示する、ための語句提示等手段と、
を備えたことを特徴とする、日本語や中国語などの漢字を含む言語による語句もしくは文章の入力のためのシステム。
【請求項７】
ユーザー端末側とネットワークを介して接続されたサーバー側に備えられた（「備えられた」は接続された状態をも含む。）辞書データ記録手段であって、「或るユーザーの端末側から入力（音声入力をも含む。）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、
（ａ）前記ユーザーの識別データと対応付けて、
（ｂ）前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、又は、
（ｃ）前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、
記録しておくための辞書データ記録手段と、
ネットワークに接続されたユーザー端末側に備えられ又は前記ユーザー端末側とネットワークを介して接続されたサーバー側に備えられた語句提示等手段であって、
「或るユーザーの端末側から入力もしくは送信された『読み』」と、「（ａ）前記識別データ、（ｂ）前記属性データ、又は（ｃ）前記『分野、分類、もしくはカテゴリ』」とに基づいて、
「前記のサーバー側に備えられた辞書データ記録手段に記録されている辞書データであって、「（ａ）前記識別データ、（ｂ）前記属性データ、又は（ｃ）前記『分野、分類、もしくはカテゴリ』」に対応もしくは関連する辞書データ」から、
「前記の入力もしくは送信された『読み』」に対応する語句もしくは文章又はその１つ若しくは複数の候補を、
選択もしくは決定する又は前記ユーザーに提示する、ための語句提示等手段と、
を備えたことを特徴とする、日本語や中国語などの漢字を含む言語による語句もしくは文章の入力のためのシステム。
【請求項８】
ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、
ユーザー端末側とネットワークを介して接続されたサーバー側に備えられた（「備えられた」は接続された状態をも含む）使用頻度データ記録手段であって、「或るユーザーの端末側から入力もしくは送信された語句もしくは文章又はその読みについて、それを前記ユーザーがどれだけ頻繁に繰り返し使用もしくは入力したかを示す使用頻度データ」を、
（ａ）前記ユーザーの識別データと対応付けて、
（ｂ）前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、又は、
（ｃ）前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、
記録しておくための使用頻度データ記録手段と、
ネットワークに接続されたユーザー端末側に備えられ又は前記ユーザー端末側とネットワークを介して接続されたサーバー側に備えられた語句提示等手段であって、
「或るユーザーの端末側から入力もしくは送信された『読み』」と、「（ａ）前記識別データ、（ｂ）前記属性データ、又は（ｃ）前記『分野、分類、もしくはカテゴリ』」と、「前記のサーバー側に備えられた使用頻度データ記録手段に記録されている使用頻度データであって、「（ａ）前記識別データ、（ｂ）前記属性データ、又は（ｃ）前記『分野、分類、もしくはカテゴリ』」に対応もしくは関連する使用頻度データ」と、に基づいて、
前記のサーバー側に備えられた辞書データ記録手段から、
「前記の入力もしくは送信された『読み』」に対応する語句もしくは文章又はその１つ若しくは複数の候補を、
選択もしくは決定する又は前記ユーザーに提示する、ための語句提示等手段と、
を備えたことを特徴とする、日本語や中国語などの漢字を含む言語による語句もしくは文章の入力のためのシステム。
【発明の詳細な説明】
【０００１】
【産業上の利用分野】
本発明は、パソコンなどの情報端末（例えば、ワープロソフトが記録されているもの）を使用して行う、日本語や中国語による語句や文章の入力のためのシステムに関する。
【０００２】
【従来の技術】
従来より、例えば、マイクロソフト社のワープロソフト「ワード９８」を使用して文書（漢字を含むもの）を入力するとき、あるいは、マイクロソフト社の表計算ソフト「エクセル」を使用して表の各セルの中に文字列（漢字を含むもの）を入力するときは、マイクロソフト社の「ＭＳ−ＩＭＥ９８」やジャスト・システムの「ＡＴＯＫ」などの日本語辞書ファイルを含む「日本語入力フロント・エンド・プロセッサ」（ｆｒｏｎｔ  ｅｎｄ  ｐｒｏｃｅｓｓｏｒ  ｆｏｒ  ｋａｎａ  ｔｏ  ｋａｎｊｉ  ｔｒａｎｓｆｏｒｍａｔｉｏｎ。「ＦＥＰ（前処理用ソフトウェア又はハードウェア）」と呼ばれることもある。）により、ユーザーがキーボード入力（又は、ペン入力、又は音声入力）の方法で「平仮名、又は、ローマ字・アルファベット」で入力した「読み」に基づいて、それを、それに対応する適切な「語句（その全部又は一部に漢字を含む語句、又は、平仮名と片仮名の混合された語句）」に変換（場合により、複数の変換候補を提示して、ユーザーに選択させる）させて、語句を入力させるようにしている。
なお、前記の日本語辞書は、入力された読み（よみ）と変換すべき語句・言葉を蓄積した一種のデータベース（一定の規則に従って参照できる形に集めたファイル）であり、「ローマ字かな変換辞書や、かな漢字変換のための熟語辞書など」で構成されている。この日本語辞書は、日本語ワープロにおいて、「かな漢字変換」（ワープロやコンピュータシステムに漢字を入力する際、仮名又はローマ字で入力した読みを漢字混じり語句又は漢字混じり文に変換すること）をするときに使用される。この「かな漢字変換」の方式としては、単漢字変換方式、熟語変換方式、単文節又は複数文節変換方式、全自動一括変換（逐次自動変換）方式、ＡＩ（人工知能）変換方式、などがある。この日本語辞書は、一般には、パソコンのハードディスクやＲＯＭ（主メモリ）などに収められる。
前記「日本語フロントエンドプロセッサ」は、パソコンなどのシステムに日本語入力を効率的に行うためのソフトウェアで、通常は、メモリに常駐させて使用し、他のアプリケーションソフトウェアに組み込んで使用される。
【０００３】
（１）ところで、従来より、前述のような日本語辞書は、日本語辞書を作成する企業が数ヶ月又は数年に一度データを更新しているが、そのような更新のペースでは、日々新しく生まれる語句に対応できないため、各ユーザーが個別に、日本語フロントエンドプロセッサに含まれる「日本語入力辞書への単語登録」という、ユーザーが個別に新しい語句とその読みを入力・登録できる「ユーザー辞書登録機能」を備えている。各ユーザーは、このユーザー辞書登録機能を使用して、日本語辞書にまだ載っていない語句を、入力して、日本語辞書に追加するようにしている。しかしながら、このように、個々のユーザーが、「必要だがまだ日本語辞書に掲載されていない語句」を、「ユーザー辞書」部分として日本語辞書に個別に追加入力していくのは、ユーザーに極めて煩雑な作業を強いるものであり、ユーザーにとっては大変に不便なことだ、という問題があった。
（２）また、従来より、前述のようにユーザーが個別に追加入力したユーザー辞書の部分を含む日本語辞書は、ユーザーが保有する各端末（パソコンなど）のハードディスクに記録されるため、ユーザーが他の端末を使用したり、ユーザーが端末を買い換えたりしたときは、「それまでユーザーが個別に追加入力してきたユーザー辞書部分を含む日本語辞書」が使用できなくなってしまい、大変に不便である、という問題があった（もちろん、各ユーザーは、自らが追加入力したユーザー辞書のデータを携帯型の記録媒体（フロッピーディスクなど）にコピーして他の端末のハードディスクにコピーすることも可能であるが、このような作業は煩雑であるし、かなり難しい作業であるため、全てのユーザーが簡単に行うことはできなかった）。
（３）また、従来より、日本語ワードプロセッサ（ワープロ専用機と、ソフトウェアで提供されるものと、を含む）では、ユーザーが使用を続ければ続けるほど、ユーザーが入力する語句の使用頻度データを蓄積して、同じ読みを有する複数の語句の中からその使用頻度が大きい語句を適切なものとして選択してユーザーに提示することにより、変換効率を高める「学習機能」を有している。しかしながら、従来は、このような学習機能による変換効率の向上は、ユーザーがそのワープロ装置を長期間使用した結果として得られるものであるため、そのような「学習機能による変換効率の向上」という便宜がワープロ装置を使用し始めた当初からは享受できなかった。したがって、ユーザーにとっては、ワープロ装置を使用し始めた後の所定の期間（学習機能による変換効率の向上を得られるまでの期間）は変換効率が悪いままという不便を我慢しなくてはならない、という問題がった。
（４）また、従来より、日本語ワードプロセッサ（ワープロ専用機と、ソフトウェアで提供されるものと、を含む）では、ユーザーが使用を続ければ続けるほど、ユーザーが入力する語句の使用頻度データを蓄積して、同じ読みを有する複数の語句の中からその使用頻度が大きい語句を適切なものとして選択してユーザーに提示することにより、変換効率を高める「学習機能」を有している。しかしながら、従来は、このような学習機能により、長く使用したワープロ装置が（パソコンなどにワープロソフトウェアを組み込んだものを含む）ユーザーにとって変換効率の高い便利なものになっても、ユーザーが情報端末を買い換えた場合や、他の端末を使用しなくてはならない場合は、それまでの蓄積による学習機能が使えなくなり、変換効率の低いワープロ装置として使用しなくてはならず不便である、という問題がった（もちろん、機種によっては、それまでの学習機能を新たな端末に組み込むことも可能であろうが、そのような作業は煩雑・複雑であり、全てのユーザーが簡単にできるものではなかった）。
【０００４】
【発明が解決しようとする課題】
本発明は、各ユーザーが、自らの所在場所や自らが使用する個々の端末に左右されることなく、常に、日本語もしくは中国語による語句もしくは文章を、効率的に入力することができる、入力のためのシステムを提供することを目的とする。
【０００５】
【課題を解決するための手段】
（用語説明  １）
本発明において、ユーザーが入力する「語句」とは、文章の一部としての語句、又は、表やデータベースの中の一つのセルの中に入力されるような単独で使用される語句、などの様々なものを含む。
本発明において、「語句入力手段」（例えば、ワープロソフト、会計ソフト、財務ソフト、販売管理ソフト、テキストエディタなどのような、語句を入力するソフト）は、ユーザーが保有する情報端末（パソコンや携帯電話機など）の中の記録装置に予め記録されているもの（端末に組み込まれているもの）でもよいし、ネットワークに接続されたサーバー（ネットワークに接続されて大量の情報を管理するコンピュータ）の記録装置に記録されておりネットワークを介してユーザーが一時的に使用するもの（例えばアプリケーションソフトウェアをユーザーに貸す「アプリケーション・サービス・プロバイダー（ＡＳＰ）」が提供するサービスを利用するもの）でもよい。現在は、一般人がパソコンで使用するアプリケーションソフトとしてのワープロソフトとしては、例えば、「ワード」（マイクロソフト社）、「一太郎」（ジャストシステム社）などがある。
また、本発明において、「辞書データ」は、日本語に関する辞書データ（日本語の読みと、漢字混じり語句又は片仮名混じり語句とを対照させるためのデータ）だけでなく、例えば、中国語などの漢字を含む言語に関する辞書データをも含む。
本発明の「辞書データ」を記録したファイル（データベース）には、予めワープロソフトのメーカーが作成してユーザーに提供するものと、個々のユーザー自らが入力する「ユーザー辞書」のファイル（データベース）とがある。ソフトメーカーが提供する「辞書データのファイル（データベース）」（フロントエンドプロセッサなどと呼ばれる）には、例えば、マイクロソフト社の「ＩＭＥ９８」、ジャストシステム社の「ＡＴＯＫ」などがある。ユーザーが個々に入力する「ユーザー辞書」を記録するデータベースとその入力機能とは、前記のマイクロソフト社の「ＩＭＥ９８」やジャストシステム社の「ＡＴＯＫ」の中の、一部の記憶領域として、また、一部の機能として、認められている。
また、本発明において、「ネットワーク」とは、インターネットなどの「開放型のネットワーク」が典型であるが、事業会社内のＬＡＮやイントラネットなどのように組織内だけで使用する「閉じたネットワーク」でもよい。
また、本発明においては、ユーザー端末側からサーバー側への「ユーザー辞書データ又は使用頻度データの入力（送信）」は、ユーザーによる語句入力作業中でもよいし、ユーザーによる語句入力作業の前でも後でもよい。
また、ユーザー端末側からサーバー側への「ユーザー辞書データ又は使用頻度データの入力（送信）」は、ユーザー端末側から自動的にサーバーに入力するようにしてもよいし、ユーザー端末側からユーザーの個別の指示に基づいてサーバーに入力するようにしてもよい。
また、本発明において、語句入力手段による語句の入力や辞書データの入力は、例えば、キーボードによる入力、タッチパネルなどを使用したペン入力、マイクを使用した音声入力などの様々な方式が可能である。
また、本発明において、「ユーザー属性データ」とは、例えば、ユーザーの業種、収入、興味・関心の対象、所在地域、所属団体名、支持する宗教、支持政党、政治理念などなどのように、システムが入力された「読み」から「対応する語句」を推測するために有益なユーザー属性データを言う。
また、本発明において、「分野属性又は分類・カテゴリー」とは、例えば、ユーザーが語句を入力する作業の対象分野を示すデータ（コンピュータ、通信、電気、化学、超伝導物質、半導体、光触媒、生物学、経済評論、経営論、特許、商標、古典文学、小説、漫画、音楽、絵画、世界の中世史、日本の古代史、など）、その入力作業の目的となる書類のカテゴリー（電機分野の特許明細書、化学実験報告書、経済報告書、新商品企画書、生物学論文、新聞の政治記事、雑誌の芸能記事、ホームページに掲載する時事に関するコラム、など）を示すデータなどのような、ユーザーが語句を入力するときのその入力作業を特定・分類・推測することにより、システムが入力された「読み」から「対応する語句」を推測するために有益な「分野属性又は分類・カテゴリー」を言う。
また、本発明において、「サーバー側からの辞書データ又は使用頻度データを利用してユーザーが語句を入力するとき」に使用する語句入力手段は、前記辞書データ又は使用頻度データをサーバー側に入力するときにユーザーが使用している語句入力手段とは異なっていても良い。例えば、辞書データ又は使用頻度データをサーバー側に入力するときに使用している語句入力手段がマイクロソフト社の「ワード９８」であるときでも、後で、このサーバーからの辞書データ又は使用頻度データを利用してユーザーが語句を入力するときに使用する手段は、前記「ワード９８」以外の手段、例えば、ジャストシステム社のワープロソフト「一太郎」や、「秀丸エディタ」や「ＥＺエディタ」などのテキストエディタソフトや、「ＰＣＡ会計」などの会計ソフトや販売管理ソフトや顧客管理ソフト・名簿管理ソフトなどでもよい。
本発明においては、「前記サーバー側からの辞書データ又は使用頻度データを、ユーザーがネットワークを介して利用するとき」の利用形態としては、（１）前記辞書データ又は使用頻度データのファイルをまとめてサーバー側からダウンロード（データの取り込み）して、ユーザー端末のハードディスク又はフラッシュメモリに格納して利用する場合や、（２）ユーザーがユーザー端末で語句を入力する作業の中で、随時、前記サーバー側にアクセスして、該当する辞書データ又は使用頻度データを参照・利用する場合、などの様々な形態が在り得る。
本発明において、「使用頻度データ」とは、あるユーザーが語句を入力する作業をしているときに、ある語句について、所定の単位時間内にどれだけその語句を頻繁に使用したか、又は、所定の情報入力量の中でどれだけその語句を頻繁に使用したか、などのような「使用頻度・入力頻度・登場頻度」を示すものである。この使用頻度データの形態は、例えば、「１分間当たり５３回」のような形でもよいし、「Ａ，Ｂ，Ｃなどのように等級分け」したもの、などでもよい。
【０００６】
（用語説明  ２−−−ＡＳＰで本発明のサービスを提供する場合について）
本発明においては、ユーザーは、インターネットその他のネットワークを介して、ユーザー端末側からサーバー側に「辞書データ又は使用頻度データ」を入力し、且つ、ユーザー端末側で語句の入力作業をするときにサーバー側に記録されている「辞書データ又は使用頻度データ」を利用するようにしているが、このユーザー端末側によるサーバー側の「辞書データ又は使用頻度データ」の利用は、最近になって実用化されているＡＳＰ（アプリケーション・サービス・プロバイダー）が提供するサービスとして利用することもできる。
ＡＳＰとは、インターネットやＶＰＮ（仮想専用線）経由で自社のサーバー群に集積したアプリケーションソフトウェアの機能やそのサービスを提供する事業者のことである。ＡＳＰを利用すれば、ユーザーは、必要なときに必要な機能だけを利用・購入することができる。
ＡＳＰによるサービス提供に使用される技術は、次の（ａ）（ｂ）（ｃ）の３つに分類される。
（ａ）ダウンロード方式・・・シェアウェアのように、アプリケーションをパソコンなどのユーザー端末にダウンロードして実行するもの。
（ｂ）ウェブ方式・・・ウェブブラウザ（閲覧ソフト）でＪＡＶＡアプレット（ネットワーク言語であるＪＡＶＡで書かれたプログラムの一種）をダウンロードして実行するもの。
（ｃ）サーバー方式・・・情報処理は全てサーバーで行い、ユーザー端末（クライアントマシン）は表示（出力）と入力のみに使用するもの。
上記（ａ）（ｂ）の方式では、いずれも、クライアントマシンがパソコンなどのように高性能である必要があるが、上記（ｃ）のサーバー方式では、クライアントマシンはパソコンに限らず携帯電話やＰＤＡ（携帯情報端末）でもパソコンと同じサービスを受けられる。
ＡＳＰの利用料金の支払方法としては、トランザクションごとの支払、固定契約制、利用時間毎に利用時間に応じた課金の方式、などか可能である（利用時間に応じた課金についてはまだ実用化されていないが、既に、利用時間に応じた課金を行うシステムを発表したメーカーもある）。
本発明をＡＳＰの上記（３）のサーバー方式で実用化するときは、サーバー側に「コンピュータのＯＳ（基本ソフト）とアプリケーションソフト（マイクロソフト社の「ワード９８」などのワープロソフト、「エクセル」などの表計算ソフト、会計ソフト、販売管理ソフト、テキストエディタソフトなど）と漢字辞書（マイクロソフト社の「ＭＳ−ＩＭＥ９８」などの辞書データファイル及び使用頻度データファイル）とこの漢字辞書を参照して読みを語句に変換するソフトウェアなど」を記録しておき、ユーザーは、ネットワークを介して、このサーバーに記録されたデータファイルやソフトウェアを利用するようにする。
【０００７】
本願で特許を請求する部分は、「本願の特許請求の範囲に記載された発明」であり、それは次のとおりである。
１  ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、前記ユーザーの識別データと対応付けて、記録しておくための辞書データ記録手段と、ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と前記ユーザーの識別データとに基づいて、「前記のサーバー側に備えられた辞書データ記録手段に記録されている辞書データであって、前記ユーザーの識別データに対応する辞書データ」から、「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
２  ユーザー端末側とネットワークを介して接続されたサーバー側に備えられた（「備えられた」は接続された状態をも含む）辞書データ記録手段であって、「複数のユーザーの端末側からそれぞれ入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、複数のユーザーが共用できるように、記録しておくための辞書データ記録手段と、ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と前記或るユーザーに関する属性データとに基づいて、「前記のサーバー側に備えられた辞書データ記録手段に記録されている辞書データであって、前記属性データに対応する辞書データ」から、「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
３  ユーザー端末側とネットワークを介して接続されたサーバー側に備えられた（「備えられた」は接続された状態をも含む）辞書データ記録手段であって、「複数のユーザーの端末側からそれぞれ入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、複数のユーザーが共用できるように、記録しておくための辞書データ記録手段と、ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と前記或るユーザー若しくはその入力内容に関する『分野、分類、もしくはカテゴリ』とに基づいて、「前記のサーバー側に備えられた辞書データ記録手段に記録されている辞書データであって、前記『分野、分類、もしくはカテゴリ』と関連する辞書データ」から、「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
４  ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、ユーザー端末側とネットワークを介して接続されたサーバー側に備えられた（「備えられた」は接続された状態をも含む）使用頻度データ記録手段であって、「或るユーザーの端末側から入力もしくは送信された語句もしくは文章又はその読みについて、それを前記ユーザーがどれだけ頻繁に繰り返し使用もしくは入力したかを示す使用頻度データ」を、前記ユーザーの識別データと対応付けて、記録しておくための使用頻度データ記録手段と、ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と、前記ユーザーの識別データと、「前記のサーバー側に備えられた使用頻度データ記録手段に記録されている使用頻度データであって、前記ユーザーの識別データに対応する使用頻度データ」と、に基づいて、前記のサーバー側に備えられた辞書データ記録手段から、「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
５  ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、ユーザー端末側とネットワークを介して接続されたサーバー側に備えられた（「備えられた」は接続された状態をも含む）使用頻度データ記録手段であって、「複数のユーザーの端末側からそれぞれ入力もしくは送信された語句もしくは文章又はその読みについて、それを各ユーザーがどれだけ頻繁に繰り返し使用もしくは入力したかを示す使用頻度データ」を、前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、複数のユーザーが共用できるように、記録しておくための使用頻度データ記録手段と、ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と、前記或るユーザーに関する属性データと、「前記のサーバー側に備えられた辞書データ記録手段に記録されている使用頻度データであって、前記属性データに対応する使用頻度データ」と、に基づいて、前記のサーバー側に備えられた辞書データ記録手段から、「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
６  ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、ユーザー端末側とネットワークを介して接続されたサーバー側に備えられた（「備えられた」は接続された状態をも含む）使用頻度データ記録手段であって、「複数のユーザーの端末側からそれぞれ入力もしくは送信された語句もしくは文章又はその読みについて、それを各ユーザーがどれだけ頻繁に繰り返し使用もしくは入力したかを示す使用頻度データ」を、前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、複数のユーザーが共用できるように、記録しておくための使用頻度データ記録手段と、ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と、前記或るユーザー若しくはその入力内容に関する『分野、分類、もしくはカテゴリ』と、「前記のサーバー側に備えられた辞書データ記録手段に記録されている使用頻度データであって、前記『分野、分類、もしくはカテゴリ』と対応付けられた使用頻度データ」と、に基づいて、前記のサーバー側に備えられた辞書データ記録手段から、「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
７  ユーザー端末側とネットワークを介して接続されたサーバー側に備えられた（「備えられた」は接続された状態をも含む。）辞書データ記録手段であって、「或るユーザーの端末側から入力（音声入力をも含む。）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を、
（ａ）前記ユーザーの識別データと対応付けて、
（ｂ）前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、又は、
（ｃ）前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、記録しておくための辞書データ記録手段と、
ネットワークに接続されたユーザー端末側に備えられ又は前記ユーザー端末側とネットワークを介して接続されたサーバー側に備えられた語句提示等手段であって、「或るユーザーの端末側から入力もしくは送信された『読み』」と、「（ａ）前記識別データ、（ｂ）前記属性データ、又は（ｃ）前記『分野、分類、もしくはカテゴリ』」とに基づいて、「前記のサーバー側に備えられた辞書データ記録手段に記録されている辞書データであって、「（ａ）前記識別データ、（ｂ）前記属性データ、又は（ｃ）前記『分野、分類、もしくはカテゴリ』」に対応もしくは関連する辞書データ」から、「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
８  ユーザー端末側とネットワークを介して接続されたサーバー側に備えられた（「備えられた」は接続された状態をも含む）辞書データ記録手段であって、「或るユーザーの端末側から入力（音声入力をも含む）もしくは送信された『語句もしくは文章、及び／又は、その語句もしくは文章に対応する読み』」を含む辞書データ（日本語の辞書データだけでなく、中国語などの漢字を含む外国言語の辞書データをも含む）を記録しておくための辞書データ記録手段と、
ユーザー端末側とネットワークを介して接続されたサーバー側に備えられた（「備えられた」は接続された状態をも含む）使用頻度データ記録手段であって、「或るユーザーの端末側から入力もしくは送信された語句もしくは文章又はその読みについて、それを前記ユーザーがどれだけ頻繁に繰り返し使用もしくは入力したかを示す使用頻度データ」を、
（ａ）前記ユーザーの識別データと対応付けて、
（ｂ）前記各ユーザーに関する属性データ（各ユーザーが希望する属性データ若しくは各ユーザー自身の属性データであって、前記各ユーザー側から入力もしくは送信された、前記サーバー側が取得した、又は前記サーバー側が予め記録していた、属性データ）と関連付けて、又は、
（ｃ）前記各ユーザー若しくはその入力内容に関する『分野、分類、もしくはカテゴリ』（前記各ユーザーの入力作業もしくは入力内容に関する又は前記各ユーザーが希望する『分野、分類、もしくはカテゴリ』であって、前記各ユーザー側から入力もしくは送信された、前記サーバー側が取得した、又は前記サーバー側が予め記録していた、『分野、分類、もしくはカテゴリ』）と関連付けて、
記録しておくための使用頻度データ記録手段と、
ネットワークに接続されたユーザー端末側に備えられ又は前記ユーザー端末側とネットワークを介して接続されたサーバー側に備えられた語句提示等手段であって、
「或るユーザーの端末側から入力もしくは送信された『読み』」と、「（ａ）前記識別データ、（ｂ）前記属性データ、又は（ｃ）前記『分野、分類、もしくはカテゴリ』」と、「前記のサーバー側に備えられた使用頻度データ記録手段に記録されている使用頻度データであって、「（ａ）前記識別データ、（ｂ）前記属性データ、又は（ｃ）前記『分野、分類、もしくはカテゴリ』」に対応もしくは関連する使用頻度データ」と、に基づいて、
前記のサーバー側に備えられた辞書データ記録手段から、
「前記の入力もしくは送信された『読み』」に対応する語句もしくは文章又はその１つ若しくは複数の候補を、選択もしくは決定する又は前記ユーザーに提示する、ための語句提示等手段と、を備えたことを特徴とする、日本語や中国語などの漢字を含む言語による語句もしくは文章の入力のためのシステム。
【０００８】
（特許請求の範囲に記載された発明以外の「本明細書で開示・提案された発明」）
「本願の特許請求の範囲に記載された発明そのもの」ではないが、本明細書においては、次のような発明も開示・提案している。
１  ネットワークに接続されたユーザー端末側に備えられた読み入力手段であって、ユーザーが語句の「読み」の入力を行うための読み入力手段と、前記ユーザー端末側に備えられた辞書データ入力手段であって、「語句、及び、その語句に対応する読み」を含む辞書データを各ユーザー自らが入力するための辞書データ入力手段と、前記ユーザー端末とネットワークを介して接続されたサーバー側に備えられた辞書データ記録手段であって、ユーザーが入力した「語句、及び、その語句に対応する読み」を含む辞書データ（日本語の辞書データだけでなく、中国語などの漢字を含む外国言語の辞書データをも含む）を記録しておくための辞書データ記録手段と、前記ユーザー端末側に備えられ又は前記ユーザー端末とネットワークを介して接続されたサーバー側に備えられた語句提示等手段であって、ユーザーが前記読み入力手段により語句の「読み」を入力したとき、前記サーバー側の辞書データ記録手段に記録されている「語句、及び、その語句に対応する読み」を含む辞書データを利用して、前記入力された「読み」に対応する語句を決定又は選択するための語句提示等手段と、を備えたことを特徴とする、入力のためのシステム。
２  上記１において、前記ユーザー端末とネットワークを介して接続されたサーバー側に備えられた許可手段であって、各ユーザーが前記ユーザー端末を使用して語句の「読み」を入力したとき、前記語句提示等手段が、前記辞書データ記録手段に記録されている「語句、及び、その語句に対応する読み」を含む辞書データをネットワークを介して利用することを許可するための許可手段、を備えたことを特徴とする、入力のためのシステム。
３  ユーザーが、ネットワークに接続されたユーザー端末を使用して、語句の「読み」の入力を行うための読み入力手段であって、ユーザー端末側に備えられた語句入力手段と、前記ユーザー端末側に備えられた辞書データ入力手段であって、「語句、及び、その語句に対応する読み」を含む辞書データを各ユーザーが入力するための辞書データ入力手段と、前記ユーザー端末とネットワークを介して接続されたサーバー側に備えられた辞書データ記録手段であって、前記ユーザーが入力した辞書データを、各ユーザーの識別データと関連付けて記録しておくための辞書データ記録手段と、前記ユーザー端末側に備えられ又は前記ユーザー端末とネットワークを介して接続されたサーバー側に備えられた語句提示等手段であって、あるユーザーが前記ユーザー端末を使用して語句の「読み」を入力するとき、前記辞書データ記録手段に記録されている辞書データであって前記のあるユーザーの識別データと関連する辞書データを利用することにより、前記入力された「読み」に対応する語句を決定又は選択するための語句提示等手段と、を備えたことを特徴とする、入力のためのシステム。
４  ネットワークに接続されたユーザー端末側に備えられ、ユーザーが語句の「読み」の入力を行うための読み入力手段と、前記ユーザー端末側に備えられた辞書データ入力手段であって、「語句、及び、その語句に対応する読み」を含む辞書データを各ユーザー自らが入力するための辞書データ入力手段と、前記ユーザー端末とネットワークを介して接続されたサーバー側に備えられた辞書データ記録手段であって、前記各ユーザーが入力した辞書データを、前記各ユーザーのユーザー属性データと関連付けて記録しておくための辞書データ記録手段と、前記ユーザー端末側に備えられ又は前記ユーザー端末とネットワークを介して接続されたサーバー側に備えられた語句提示等手段であって、あるユーザーが前記ユーザー端末を使用して語句の「読み」を入力するとき、前記辞書データ記録手段に記録されている辞書データであって前記のあるユーザーに関する属性データと関連する辞書データを利用することにより、前記入力された「読み」に対応する語句を決定又は選択するための語句提示等手段と、を備えたことを特徴とする、入力のためのシステム。
５  ユーザー端末側に備えられた読み入力手段であって、ユーザーが語句の「読み」の入力を行うための読み入力手段と、前記ユーザー端末側に備えられた辞書データ入力手段であって、「語句、及び、その語句に対応する読み」を含む辞書データを各ユーザー自らが入力するための辞書データ入力手段と、前記ユーザー端末とネットワークを介して接続されたサーバー側に備えられた辞書データ記録手段であって、前記の各ユーザーが入力した各辞書データを、「各辞書データに含まれる語句を特定又は分類するための分野属性」と関連付けて記録しておくための辞書データ記録手段と、前記ユーザー端末側に備えられ又は前記ユーザー端末とネットワークを介して接続されたサーバー側に備えられた語句提示等手段であって、あるユーザーが前記ユーザー端末側の読み入力手段により語句の「読み」を入力したとき、「前記サーバー側の辞書データ記録手段に記録された辞書データであって、前記ユーザー端末側からの情報に基づいて特定される分野属性と関連する辞書データ」を利用することにより、前記読み入力手段からの「読み」に対応する語句を決定又は選択するための語句提示等手段と、を備えたことを特徴とする、入力のためのシステム。
６  ネットワークに接続されたユーザー端末側に備えられた読み入力手段であって、ユーザーが語句の「読み」の入力を行うための読み入力手段と、各ユーザーが前記読み入力手段を使用して語句の「読み」の入力を行うとき、「或る語句もしくはその読みについて、それをユーザーがどれだけ頻繁に繰り返し使用もしくは入力したか、を示す使用頻度データ」を自動的に生成するための使用頻度データ生成手段と、前記ユーザー端末とネットワークを介して接続されたサーバー側に備えられた使用頻度データ記録手段であって、前記使用頻度データ生成手段により生成された使用頻度データを、前記各ユーザーの識別データ又は属性データと関連付けて記録しておくための使用頻度データ記録手段と、前記ユーザー端末側に備えられ又は前記ユーザー端末とネットワークを介して接続されたサーバー側に備えられた語句提示等手段であって、あるユーザーが各ユーザー端末側から前記読み入力手段により語句の「読み」の入力を行ったとき、「前記サーバー側に備えられた使用頻度データ記録手段に記録された使用頻度データであって、前記各ユーザーの識別データ又は属性データと関連する使用頻度データ」を利用することにより、前記の読み入力手段により入力された「読み」に対応する語句を決定又は選択するための語句提示等手段と、を備えたことを特徴とする、入力のためのシステム。
７  ユーザーが、ネットワークに接続されたユーザー端末を使用して、語句の「読み」の入力を行うための語句入力手段と、各ユーザーが前記語句入力手段を使用して語句の「読み」の入力を行うとき、「或る語句について、それをユーザーがどれだけ頻繁に繰り返し入力したか、を示す使用頻度データ」を自動的に生成するための使用頻度データ生成手段と、前記ユーザー端末とネットワークを介して接続されたサーバー側に備えられた使用頻度データ記録手段であって、前記使用頻度データ入力手段により入力された使用頻度データを、その使用頻度データの対象となる語句を特定又は分類するための分野属性と関連付けて記録しておくための使用頻度データ記録手段と、前記ユーザー端末側に備えられ又は前記ユーザー端末とネットワークを介して接続されたサーバー側に備えられた語句提示等手段であって、あるユーザーが各ユーザー端末側から前記読み入力手段により語句の「読み」の入力を行うとき、「前記サーバー側の使用頻度データ記録手段に記録された使用頻度データであって、前記ユーザー端末側からの情報により特定される分野属性と関連する使用頻度データ」を利用することにより、前記の読み入力手段により入力された「読み」に対応する語句を決定又は選択するための語句提示等手段と、を備えたことを特徴とする、入力のためのシステム。
８  ユーザーが、ネットワークに接続されたユーザー端末を使用して、ネットワークに接続されたユーザー端末を使用して、語句の「読み」の入力を行うための機能と、ユーザーが、前記ユーザー端末を使用して、「語句、及び、その語句に対応する読み」を含む辞書データを入力するための機能と、前記ユーザー端末から、前記辞書データが入力されたとき、前記ユーザー端末とネットワークを介して接続されたサーバー側の辞書データ記録手段に前記辞書データを記録する機能と、ユーザーが前記ユーザー端末を使用して語句の「読み」を入力したとき、前記サーバー側の辞書データ記録手段に記録された辞書データを利用して、前記の入力された「読み」に対応する語句を決定するための機能と、を実現するための語句入力のためのコンピュータプログラム。
９  各ユーザーが、ネットワークに接続されたユーザー端末を使用して、ネットワークに接続されたユーザー端末を使用して、語句の「読み」の入力を行うと共に、各ユーザーが、前記ユーザー端末を使用して、「語句、及び、その語句に対応する読み」を含む辞書データを入力するステップと、前記ユーザー端末から、前記辞書データが入力されたとき、前記ユーザー端末とネットワークを介して接続されたサーバー側の辞書データ記録手段に前記辞書データを記録するステップと、ユーザーが前記ユーザー端末を使用して語句の「読み」を入力したとき、前記サーバー側の辞書データ記録手段に記録された辞書データを利用して、前記の入力された「読み」に対応する語句を決定するためのステップと、を実現するための語句入力のためのコンピュータプログラム。
（拡張）
なお、本願発明、すなわち、特許請求の範囲の請求項１から８までの語句入力システムの発明の内容は、その中に含まれる各「手段」の内容をそのまま各「ステップ」の内容とする語句入力方法としても、把握することができる。
（上記の「本明細書に開示・提案された発明」の適用例）
（１）この開示・提案発明においては、ユーザーは、自らが入力した「辞書データ又は使用頻度データ」をネットワーク上のサーバー側に記録しておくことにより、自らが入力した「辞書データ又は使用頻度データ」を、どの場所でも又どの端末からでも、利用できるようになる。
（２）また、この開示・提案発明においては、複数・多数のユーザーは、それぞれが入力した「辞書データ又は使用頻度データ」をサーバー側に記録しておき、それを多数のユーザーが互いにアクセス・利用できるようにすることにより、複数・多数のユーザーがそれぞれ入力した「辞書データ又は使用頻度データ」をまとめた大量のデータベースを各ユーザー相互間で「共有化」することができる。この大量のデータベースの中には、複数・多数のユーザーがそれぞれユーザー辞書登録機能により入力した大量の語句とその読みが含まれている。よって、各ユーザーは、これらの複数・多数のユーザーが提供・公開して形成された大量の「辞書データ又は使用頻度データ」のデータベースを使用することにより、日本語辞書などの漢字辞書を作成する企業（漢字辞書を作成するソフトメーカー）だけでは到底入力できなかったような最新の語句や各分野の大量の語句を含む漢字辞書を、利用できるようになる。
（３）また、この開示・提案発明においては、複数・多数のユーザーは、それぞれが入力した「辞書データ又は使用頻度データ」を、「各ユーザーに関するユーザー属性データ、又は、各語句に関連する分野属性又は分類・カテゴリー」と関連付けてサーバー側に記録することにより、複数のユーザーがそれぞれ入力した「辞書データ又は使用頻度データ」をまとめた大量のデータベースを「共有化」することができる。そして、この大量のデータベースは、前記の「各ユーザーに関する（各ユーザーが希望する）ユーザー属性データ、又は、各語句に関連する分野属性又は分類・カテゴリー」をキーとして、検索・抽出できるようになっている。よって、各ユーザーは、これらの複数・多数のユーザーが提供・公開して形成された大量の「辞書データ又は使用頻度データ」のデータベースの中から、そのときの自らの入力作業にとって便利な「自らに関係する（自らが希望する）ユーザー属性データ、又は、各語句に関連する分野属性又は分類・カテゴリー」と関連する「辞書データ又は使用頻度データ」のみを、利用することができるようになる。
【０００９】
【発明の実施の形態】
図１は本発明の一実施形態を示すブロック図である。図１において、１はネットワークの一例としてのインターネット、２，３，４は各ユーザーＡ，Ｂ，Ｃがそれぞれ使用する情報通信端末であってインターネット１に接続されたユーザー端末（例えば、インターネット１に接続できるパソコンや携帯電話機など）である。また、図１において、２ａ，３ａ，４ａは前記各端末２，３，４に備えられた外部記録装置としてのハードディスク（以下では、このハードディスク２ａ，３ａ，４ａをも含めて「ユーザー端末側」などと表現することもある）である。
【００１０】
また、５は前記インターネット１に接続されたサーバー、５ａはこのサーバー５に備えられた外部記録装置としてのハードディスク（以下では、このハードディスク５ａをも含めて「サーバー５側」などと表現することもある）、６は前記インターネット１及びサーバー５に接続され各ユーザーのサーバー５が蓄積するデータ（又はデータベース）へのアクセスを許可するか否かを判定するための認証サーバー、である。サーバー５は、ネットワークを管理し、大量の情報を管理するコンピュータである。また、認証サーバー６は、インターネット１とサーバー５に接続され、例えば、ユーザー端末２，３，４からサーバー５に記録されたデータへのアクセス・利用の要求があったとき、ユーザー端末側から入力されたユーザーＩＤとパスワードとを確認してユーザーの本人確認をしてそのユーザー端末からのサーバー５のデータへのアクセスを許可するかどうかを判定するためのものである。サーバー５は、ユーザーからのデータアクセス・利用の要求があったとき、認証サーバー６からの認証データ（本人確認できたかどうかに関するデータ）に基づいて、そのユーザーにアクセス・利用を認めるかどうかを決定する。
【００１１】
図１においては、前記ユーザー端末２，３，４に備えられたハードディスク２ａ，３ａ，４ａには、それぞれ、例えばマイクロソフト社の「ワード９８」などのワープロソフトと、同社の「ＭＳ−ＩＭＥ９８」などの日本語辞書（又は、日本語フロントエンドプロセッサ）が記録されているものとするが、本発明においては、前記ユーザー端末２，３，４側には「ワード９８」及び「ＭＳ−ＩＭＥ９８」は記録させないで、ユーザー端末は、サーバー５側（「ワード９８」及び「ＭＳ−ＩＭＥ９８」を記録している）にアクセスして、サーバー５側に記録されている「ワード９８」及び「ＭＳ−ＩＭＥ９８」をリアルタイムに実行させることにより、「ワード９８」及び「ＭＳ−ＩＭＥ９８」を利用するようにしてもよい（前記のＡＳＰによる利用形態の一つである）。
【００１２】
次に、本実施形態の動作を説明する。
（１）まず、各ユーザーＡ，Ｂ，Ｃが、それぞれ、「ワード９８」及び「ＭＳ−ＩＭＥ９８」に付いている「ユーザー辞書機能」により登録したデータ（以下、このデータを単に「辞書データ」という）を、前記サーバー５側に入力するときの動作を説明する。
本実施形態においては、サーバー５は、予めユーザー登録をした各ユーザーＡ，Ｂ，Ｃに対して、それぞれ、サーバー５のハードディスク５ａに、各ユーザーＡ，Ｂ，Ｃのユーザー辞書データと使用頻度データとを記録するための「記憶領域」（各ユーザー専用の「ユーザー辞書登録用の記憶領域」）を提供（貸与・レンタル）する。また、サーバー５は、前記各ユーザーＡ，Ｂ，Ｃに、サーバー５側に記録されている「ワード９８」を、インターネット１を介して利用することを許可する（サーバー５側は、各ユーザーにインターネットを介して「ワード９８」を時間貸しするＡＳＰとなっている）。
また、各ユーザーＡ，Ｂ，Ｃは、ユーザー登録するときに、自らのユーザー属性データ（例えば、自らの業種、収入、興味・関心の対象、所在地域、所属団体名、支持する宗教、支持政党、政治理念など）をサーバー５側に入力する。サーバー５側では、これらのユーザー属性データを、ユーザーＩＤ（ユーザー識別データ）と関連付けて記録しておく。
ユーザー登録をした各ユーザーＡ，Ｂ，Ｃは、例えば、自らの保有するパソコンを使用して、サーバー５側からインターネット１を介して時間貸しされた「ワード９８」及び「ＭＳ−ＩＭＥ９８」を使用して、語句又は語句を含む文章を入力する。このとき、各ユーザーは、「ワード９８」及び「ＭＳ−ＩＭＥ」のユーザー辞書登録機能を使用して「ユーザー辞書のデータ」（読みと語句とから成る辞書データ）を登録するとき、インターネット１を介して、サーバー５のハードディスク５ａ内の前記の専用の記憶領域（サーバー５から貸与された記憶領域）に随時入力し登録する。
また、このとき、各ユーザーは、自らの属性データの中で特に今回入力するユーザー辞書データと関連する属性データ（例えば、システム開発など）を、前記辞書データ及びユーザーＩＤと関連付けて、前記サーバー５に入力する。また、このとき、各ユーザーは、前記辞書データと関連する分野属性又は分類・カテゴリー（例えば、コンピュータ、プログラム作成など）を、前記辞書データ及びユーザーＩＤと関連付けて、前記サーバー５に入力する。
【００１３】
（２）次に、各ユーザーが使用頻度データを前記サーバー５に入力するときの動作を説明する。今、ユーザーＡが自らのパソコンで例えば「ワード９８」及び「ＭＳ−ＩＭＥ」を使用してコンピュータ関係の文書や表を入力しているとき、その入力作業の中で、例えば「実効アドレス」という語句が何回も頻繁に登場したとする。このとき、ユーザーＡは、まず、「ワード９８」及び「ＭＳ−ＩＭＥ」のユーザー辞書登録機能を使用して、「実効アドレス」という「語句」とその「じっこうあどれす」という「読み」とから成る辞書データ（ユーザー辞書データ）を、自らのユーザー属性データ（システム開発など）、前記分野属性データ（コンピュータ分野）及び自らのユーザーＩＤと互いに関連付けて、サーバー５側に入力する。そして、ユーザーＡが入力作業を続けているとき、「ワード９８」は、この入力作業の中で「実効アドレス」という語句がどれだけ（何回）頻繁に登場した（入力された＝使用された）かという使用頻度データを取得する。この使用頻度データの取得方法は、従来から「ワード９８」及び「ＭＳ−ＩＭＥ」やその他のワープロソフトやワープロ専用機（シャープ株式会社の「書院」ワープロなど）などにおいて公知の技術であるから詳細な説明は省略する。
この「ワード９８」及び「ＭＳ−ＩＭＥ」が取得する使用頻度データは、例えば、具体的な単位時間当たり使用回数データでもよいし、単位情報量当たりの使用回数データでもよいし、具体的な単位時間（又は単位情報量）当たり使用回数に所定の等級（Ａ，Ｂ，Ｃ，Ｄ，Ｅなどにランク分けしたクラス）を割り当てたデータでもよい。
【００１４】
前記「ワード９８」及び「ＭＳ−ＩＭＥ」が取得した使用頻度データは、ユーザーＡによる語句入力作業が終了したとき、又は、ユーザーＡによる語句入力作業が行われている途中に（随時）、ユーザー側端末２から、インターネット１を介してサーバー５側に入力される。このとき、ユーザー側端末２は、前記使用頻度データを、(1）ユーザーＡI属性データと(2）ユーザーの語句入力作業の種類を特定するのに役立つ分野属性又は分類・カテゴリーと(3)ユーザーＩＤ（識別コード）とに関連付けて、サーバー５側に送信する。サーバー５側では、前記入力された使用頻度データを、(1）ユーザーＡのＩＤ（識別データ）、(2）ユーザーＡに関するユーザー属性データ、及び、(3）使用頻度データの対象とする語句の属する「分野属性又は分類・カテゴリー」と関連付けて、ハードディスク５ａに記録する。
【００１５】
（３）次に、ユーザーＡが、前記サーバー５側に記録された辞書データ及び使用頻度データを利用するときの動作を説明する。
ユーザーＡは、自らのパソコンで「ワード９８」及び「ＭＳ−ＩＭＥ」を使用するときは、まず、サーバー５にアクセスして、自らのユーザーＩＤとパスワードを入力し、サーバー５に記録されている「辞書データファイル及び使用頻度データファイル」へのアクセスの許可を要求する（図１の(1)の矢印参照）。
すると、サーバー５は、このユーザーＡから入力されたユーザーＩＤとパスワードを認証サーバー６に転送する（図１の(2）の矢印参照）。認証サーバー６は、このＩＤとパスワードを正会員データファイルと照合して、本人確認をして、アクセスを許可するか否かをサーバー５に返信する（図１の(3）の矢印参照）。サーバー５は、この認証サーバー６からアクセス許可するとの返信がきたときは、そのユーザーＡに、サーバー５のハードディスク５ａ内にある「辞書データファイル及び使用頻度データファイル」へのアクセスとその利用を認める通知を発する（図１の(4）の矢印参照）。これにより、このユーザーによるサーバー５側のデータベースのアクセス・利用が可能になる。
【００１６】
ユーザーによるこのデータベースの利用形態は、例えば、次の（ａ）〜（ｄ）のとおりである。
（ａ）ユーザーＡは、「自らの専用の辞書データと使用頻度データ」（前記のサーバー５側が開設・貸与してくれた自らの専用の記憶領域に記録されているデータ）のみを利用したいときは、自らのユーザーＩＤを入力して、「このユーザーＩＤと関連する、辞書データ及び使用頻度データ」のみをユーザー端末２にダウンロード（取り込み）して、ユーザー端末２のハードディスク２ａに記録して利用する。なお、ユーザーは、前述のように「自らの専用の（自らのユーザーＩＤに関連する）、辞書データと使用頻度データ」をダウンロードすることなく、サーバー５側に記録された前記「自らの専用の辞書データと使用頻度データ」にリアルタイムにアクセスして利用することもできる（サーバー５をＡＳＰとして利用する形態）。
（ｂ）また、ユーザーＡは、自らと同じような業種・職種（属性）の人達（多数の会員ユーザー）が入力した辞書データ及び使用頻度データを使用したいときは、自らのユーザー属性データを入力し（あるいは、自らのユーザーＩＤを入力してこのＩＤと関連付けて記録されているユーザー属性データを選択するようにサーバー５に指令し）、「このユーザー属性データと関連する辞書データ及び使用頻度データ」のみをユーザー端末２にダウンロード（取り込み）して、ユーザー端末２のハードディスク２ａに記録して利用する。なお、ユーザーは、前述のように「ユーザーの属性データと関連する（ユーザーが希望するユーザー属性に関連する）、辞書データと使用頻度データ」をダウンロードすることなく、サーバー５側に記録された前記「ユーザーの属性データと関連する（ユーザーが希望するユーザー属性に関連する）、辞書データと使用頻度データ」にリアルタイムにアクセスして利用することもできる（サーバー５をＡＳＰとして利用する形態）。
（ｃ）また、ユーザーＡは、自らがこれから入力しようとする語句を含む文書などの情報内容に適した辞書データ及び使用頻度データを利用したいときは、自らがこれから入力しようとする語句を含む文書などの情報内容を示す「分野属性又は分類・カテゴリー」をサーバー５に入力し、「このユーザーが入力した（ユーザーが希望する）分野属性又は分類・カテゴリーと関連する辞書データ及び使用頻度データ」のみをユーザー端末２にダウンロード（取り込み）して、ユーザー端末２のハードディスク２ａに記録して利用する。なお、ユーザーは、前述のように「ユーザーが入力した（ユーザーが希望する）分野属性又は分類・カテゴリーに関連する、辞書データと使用頻度データ」をダウンロードすることなく、サーバー５側に記録された前記「ユーザーが入力した（ユーザーが希望する）分野属性又は分類・カテゴリーに関連する、辞書データと使用頻度データ」にリアルタイムにアクセスして利用することもできる（サーバー５をＡＳＰとして利用する形態）。
（ｄ）また、ユーザーＡが、自らを含む多数のユーザーがそれぞれサーバー５に入力した辞書データファイルの全て（多数のユーザーが、それぞれ、漢字辞書を作成したソフトメーカーから提供された漢字辞書には未だ含まれていなかったためにその辞書ソフトの中の「ユーザー辞書登録機能」を使用して自らで独自に入力した「読みと語句」のデータの集まり）を利用したいときは、サーバー５から前記辞書データファイルの全てをユーザー端末２にダウンロード（取り込み）して、そのユーザー端末２のハードディスク２ａに記録して、利用する。この場合、ユーザーＡは、自らが「ユーザー辞書登録機能」で登録していない語句でも、他のユーザーがユーザー辞書として登録した語句については、辞書データとして利用することができる。なお、ユーザーは、サーバー５をＡＳＰとして利用すれば、前記辞書データファイルをサーバー５側からダウンロードすることなく、サーバー５側に記録されている前記辞書データファイルの全てを、リアルタイムにネットワーク経由で利用できる。
【００１７】
以上の（ａ）〜（ｄ）のようにして辞書データ及び使用頻度データを取り込んだ後は、ユーザーＡは、この取り込んだ辞書データ及び使用頻度データを、従来の「ワード９８」で使用していた「ＭＳ−ＩＭＥ９８」という日本語辞書と同じように、「ワード９８」や「エクセル」（マイクロソフト社の表計算ソフト）などを使用して様々な語句をパソコン（ユーザー端末２）に入力するときに、辞書データとして、また、使用頻度データとして、利用することができる（使用頻度データは、「ワード９８」及び「ＭＳ−ＩＭＥ９８」が有している「学習機能」として、入力された読みから適正な語句への変換効率の向上という形で利用される）。
すなわち、例えば、ユーザーＡが、「じっこうあどれす」という読みを入力したときは、「ワード９８というワープロ用ソフトウェア」又はそれに関連付けられた「ＭＳ−ＩＭＥ９８という読み−語句変換ソフトウェア（入力された読みを所定の語句に変換するためのソフトウェア）」は、前記のサーバー５から取り込んだ辞書データを参照して、該当する「実効アドレス」という語句を選んで、それを画面に表示する。ユーザーＡは、この画面に表示された「実効アドレス」という語句が正しいもの（自らが予定したもの）であれば、例えばエンター・キーを押してその語句を入力データとして確定する。
また、例えば、ユーザーＡが、「じっこう」という読みを入力したときは、「ワード９８というワープロ用ソフトウェア」又はそれに関連付けられた「ＭＳ−ＩＭＥ９８という、読み−語句変換ソフトウェア（入力された読みを所定の語句に変換するためのソフトウェア）」は、前記のサーバー５から取り込んだ使用頻度データを参照して、「じっこう」という読みで最も頻繁に使用されている「実効」という語句を選んで、それを画面に表示する。ユーザーＡは、この画面に表示された「実効」という語句が自らの予定したもの（適正なもの）であれば、例えばエンター・キーを押してその語句を入力データとして確定する。
【００１８】
次に、図２は、サーバー５側に蓄積される、多数のユーザーから入力された辞書データ及び使用頻度データを含む「辞書及び使用頻度データベース」を示すものである。
この「辞書及び使用頻度データベース」には、前述のようにして多数のユーザーがそれぞれユーザー端末２，３，４で「ワード９８」及び「ＭＳ−ＩＭＥ  ９８」などを使用して文書（語句を含む文書）などを入力しているとき（なお、前記の「ワード９８」及び「ＭＳ  ＭＳ−ＩＭＥ  ９８」などは、サーバー５側に存在し、それをユーザーがネットワーク経由でリアルタイムに使用するものでもよい）に、ユーザーが「ワード９８」及び「ＭＳ  ＭＳ−ＩＭＥ  ９８」などに備えられているユーザー辞書登録機能を使用して新規に登録した「読み、及び、語句」から成る「辞書データ（ユーザー辞書への登録用のデータ）」を、ユーザー端末側からサーバー５側に入力することにより、多数の「辞書データ（辞書に蓄積される又は蓄積されたデータ）」が蓄積される。
また、前記「辞書及び使用頻度データベース」には、前記の「辞書データ」のみでなく、多数のユーザーがそれぞれユーザー端末２，３，４で「ワード９８」などを使用して文書（語句を含む文書）などを入力しているとき（なお、前記の「ワード９８」及び「ＭＳ−ＩＭＥ  ９８」などは、サーバー５側に存在し、それをユーザーがネットワーク経由で使用するものでもよい）に、「ワード９８」などのソフトウェアが、「ある語句について、それが、所定の単位時間又は所定の単位作業量（入力情報量）の中で、ユーザーによりどれくらい頻繁に入力されたか」を示す使用頻度データを随時取得し、この使用頻度データをサーバー５側に入力することにより、多数の「使用頻度データ」が蓄積される。
また、前記「辞書及び使用頻度データベース」においては、前記辞書データ及び使用頻度データは、それぞれ対応するユーザーの「ＩＤ」（識別データ（氏名などでもよい））、「ユーザー属性」、及び、使用頻度データが取得されるときの入力対象となった語句又は文書が属する「分野属性又は分類・カテゴリー」と関連付けながら、記録・蓄積される。
【００１９】
以上により、前記サーバー５側の「辞書及び使用頻度データベース」には、図２に示すような、「語句の読み、語句（漢字又は片仮名を含む語句）、使用頻度、ユーザーＩＤ、ユーザー属性、分野属性又は分類・カテゴリー」などの項目とその各項目のデータが記録されている。
この「辞書及び使用頻度データベース」にアクセスして利用することを許可された各ユーザーは、その希望により、（１）この「辞書及び使用頻度データベース」の全てのデータ（他のユーザーにより入力されたデータをも全て含むもの）をそのまま利用すること、（２）この「辞書及び使用頻度データベース」の中の自らの識別コードと関連付けられた辞書データ及び使用頻度データのみ（サーバー５側に開設された自らの専用の記憶領域に記録されている辞書データ及び使用頻度データのみ）を利用すること、（３）この「辞書及び使用頻度データベース」の中から、自らに関する（自らが希望する）ユーザー属性データと関連する辞書データ及び使用頻度データ（他のユーザーにより入力されたデータをも一部含むもの）のみを利用すること、（４）この「辞書及び使用頻度データベース」の中から、自らが入力する対象に関する（自らが希望する）分野属性又は分類・カテゴリーと関連する辞書データ及び使用頻度データ（他のユーザーにより入力されたデータをも一部含むもの）のみを利用すること、などが可能である。
【００２０】
【発明の効果】
１．本明細書で開示している複数の発明の一部においては、各ユーザー側から入力もしくは送信された「辞書データ（辞書に記録すべきデータ）」を、ネットワーク上のサーバー側に、各ユーザーの識別データ、各ユーザーに関する（もしくは各ユーザーが希望する）属性データ、又は各ユーザーの入力作業や入力内容の目的もしくは対象に関する（もしくは各ユーザーが希望する）分野等、と関連付けて記録・蓄積しておき、それを、各ユーザーが個々の端末においてネットワーク経由で利用するという構成（技術的思想）を採用した。この発明においては、このような構成（技術的思想）により、各ユーザーは、「各ユーザーの識別データ、各ユーザーに関する（もしくは各ユーザーが希望する）属性データ、又は各ユーザーの入力作業や入力内容の目的もしくは対象に関する（もしくは各ユーザーが希望する）分野等、から見て最適な辞書データ」を使用して、どの場所においても又どの端末によってでも（自らの所在場所や自らが使用する個々の端末に左右されることなく）、常に、効率的に入力作業ができるようになる。
すなわち、各ユーザーは、どのような端末を使用していても、共通に、「自らに適した、漢字及び／又は読み（片仮名など）辞書（特に、『自らの固有のユーザー辞書』を含む、漢字及び／又は読み（片仮名など）辞書）」を、使用することができる。
このように、このような構成（技術的思想）によれば、従来の仮名漢字変換システムなどの入力のためのシステムにおける不便さ（不都合）、すなわち、何時も使用している端末とは異なる端末を使用するときは、何時も使用している端末に記録されている「ユーザー辞書」のデータを使用できない（「ソフトメーカーが提供しているデフォルトの辞書データ」しか使用できない）ので、自らに適した効率的な仮名漢字変換などができない、という従来の仮名漢字変換システムなどの入力システムにおける不便さ（不都合）を、解消することができる。
２．また、本明細書で開示している複数の発明の一部においては、「各ユーザー側から入力もしくは送信された又はサーバー側が受信もしくは取得した、使用頻度データ」を、ネットワーク上のサーバー側に、各ユーザーの識別データ、各ユーザーに関する（もしくは各ユーザーが希望する）属性データ、又は各ユーザーの入力作業や入力内容の目的もしくは対象に関する（もしくは各ユーザーが希望する）分野等、と関連付けて記録・蓄積しておき、それを、各ユーザーが個々の端末においてネットワーク経由で利用するという構成（技術的思想）を採用した。この発明においては、このような構成（技術的思想）により、各ユーザーは、「各ユーザーの識別データ、各ユーザーに関する（もしくは各ユーザーが希望する）属性データ、又は各ユーザーの入力作業や入力内容の目的もしくは対象に関する（もしくは各ユーザーが希望する）分野等、から見て最適な、使用頻度データ」を使用して、どの場所においても又どの端末によってでも（自らの所在場所や自らが使用する個々の端末に左右されることなく）、効率的に入力作業ができるようになる。
すなわち、この発明によれば、各ユーザーがどのような端末を使用していても、共通に、かつ直ちに、「『自らに適した（自らに関する）使用頻度データ』の蓄積に基づく学習機能の向上による、変換効率の向上」を享受しながら、漢字又は片仮名を含む語句を入力することができる。
このように、この発明によれば、従来の仮名漢字変換システムなどの入力のためのシステムにおける不便さ（不都合）、すなわち、所定の期間（前記の使用頻度データの蓄積と、これに基づく学習機能の向上による変換効率の向上とが達せられるまでの期間）を経過するまでは、個々のユーザーは、「前記の使用頻度データの蓄積と、これに基づく学習機能の向上による変換効率の向上」を得られないまま、入力のためのシステムを使用しなくてはならない、という従来の仮名漢字変換システムなどの入力のためのシステムにおける不便さ（不都合）を、解消することができる。
３．また、本明細書に開示された複数の発明の一部においては、複数のユーザー側から入力もしくは送信された「ユーザー辞書データ（ユーザー辞書に蓄積しておくべきデータ）」を、サーバー側に記録・蓄積しておき、それを複数の各ユーザーが互いに共通にアクセス・利用できるようにしている（例えば、複数のユーザーに関連する辞書データを含む膨大なデータベースを、各ユーザー相互間で「（属性や分野等により選択的に）共有化」する（特に、個々のユーザーが自ら入力し記録するユーザ辞書部分をも（属性や分野等により選択的に）共有化できる）ようにしている）。この膨大なデータベースの中には、複数のユーザーがそれぞれ個別にユーザー辞書登録機能により入力・記録した大量の語句とその読みが含まれている。よって、各ユーザーは、これらの複数のユーザー側から入力もしくは送信されて形成された大量の「ユーザー辞書データ」を含む膨大なデータベースを共通に使用することにより、日本語辞書や中国語辞書などの漢字辞書を作成するソフトメーカーだけでは到底入力・蓄積できなかったような（つまり、漢字辞書を作成するソフトメーカーによる工場出荷時のデオォルトの漢字辞書の中には到底含まれていなかったような）最新の語句や各分野の大量の語句を含む漢字辞書を、利用できるようになる。
よって、この場合は、従来の仮名漢字変換システムなどの入力のためのシステムにおける不便さ（不都合）、すなわち、従来は、メーカーが提供したデフォルトの「漢字又は読み（片仮名など）辞書」（日本語辞書や中国語辞書などのように、仮名またはローマ字などの読みの入力文字から、該当する漢字又は片仮名を含む語句を参照できるように記録した辞書）の中に未だ記録・収録されていない語句については、個々のユーザーは、それらを、いちいち「他の読み」を指定して語句の変換入力をしなくてはならない（つまり、辞書に含まれていない単語は「そのものズバリの読み」を指定しても目的の語句に変換されないから「他の読み」を指定して変換させなくてはならない）、あるいは、いちいち個別にユーザー辞書登録機能を使用して登録しておかなくてはならない、という従来の仮名漢字変換システムなどの入力のためのシステムにおける不便さ（不都合）を、解消することができる。
４．  また、本明細書に開示された複数の一部においては、複数のユーザー側から入力もしくは送信された「使用頻度データ」又はサーバー側が受信もしくは取得した複数のユーザー側に関する「使用頻度データ」を、「各ユーザーに関する（各ユーザーが希望する）属性データ」又は「各ユーザーによる入力内容もしくは入力作業に関連する又は各ユーザーが希望する、『分野、分類もしくはカテゴリ』」と関連付けて、サーバー側に記録するようにし、複数のユーザーに関連する「使用頻度データ」を含む膨大なデータベースを、複数の各ユーザーが互いに共通にアクセス・利用できるようにしている（例えば、複数のユーザーに関連する使用頻度データを含む膨大なデータベースを、各ユーザー相互間で「（属性や分野等により選択的に）共有化できる（特に、使用頻度データの蓄積部分を共有化できる）」ようにしている）。そして、この膨大なデータベースは、前記の「各ユーザー属性データ」又は「各ユーザーの入力内容もしくは入力作業に関連する（もしくは各ユーザーが希望する）、『分野、分類もしくはカテゴリ』」に基づいて、選択的に使用したり検索・抽出したりできる。よって、この場合は、各ユーザーは、これらの複数のユーザー側から提供・公開されて形成された膨大な「使用頻度データ」を含むデータベースの中から、自らに適した（もしくは自らが希望する）、又は、そのときの自らの入力作業・入力内容に適した（もしくは自らが希望する）、「ユーザー属性データ、又は、分野・分類もしくはカテゴリ」と関連する「使用頻度データ」を、選択的に使用して、漢字又は片仮名を含む語句を入力することができる。
【図面の簡単な説明】
【図１】本発明の一実施形態を示すブロックである。
【図２】本実施形態において、サーバー側に蓄積される「辞書及び使用頻度データベース」の内容を説明するための図である。